(57)【要約】【課題】不使用時に容易に折り畳むことができ、持ち運びに便利なアイグラスディスプレイを提供する。【解決手段】使用状態である（ａ）から、映像形成投影装置７を回動ピン８の周りに反時計回りに回動させて、（ｂ）に示すように、映像形成投影装置７とテンプル９がそれぞれ７’、９’の位置に来るような状態を経て、（ｃ）に示すように７”、９”の位置まで移動させる。この回動時において、フレーム４ａとフレーム４ｂに囲まれた映像投影レンズ３と映像形成投影装置７とがぶつからないように、映像形成投影装置７の映像投影レンズ３に面する側の形状が円弧状に切り欠かれている。【選択図】  図２
2008022362.tif 000002
【特許請求の範囲】
【請求項１】
眼鏡タイプのアイグラスディスプレイであって、眼鏡レンズがテンプルを含む支持体によって保持され、一つのテンプルには、映像形成投影装置が保持されており、前記映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、前記映像形成投影装置は、前記支持体に設けられた回動軸の周りに、前記眼鏡レンズの後方に近づくように回動可能とされており、かつ、使用時において前記映像形成装置の前記眼鏡レンズに対面する側の形状が、前記回動時に前記眼鏡レンズと機械的に干渉しない形状とされていることを特徴とするアイグラスディスプレイ。
【請求項２】
前記映像形成投影装置を前記回動軸の周りに回動させ、眼鏡レンズの後方に近づくように折り畳んだとき、前記映像形成投影装置の光束射出面を保護する保護部材を有することを特徴とする請求項１に記載のアイグラスディスプレイ。
【発明の詳細な説明】
【技術分野】
【０００１】
本発明はアイグラスディスプレイに関するものである。
【背景技術】
【０００２】
外界の映像にコンピュータなどの映像を重ねて表示可能なディスプレィとして、シースルータイプのアイグラスディスプレイがあり、例えば特開２００４−１２７６８号公報（特許文献１）に記載されている。このようなディスプレィでは、映像形成投影装置で形成された映像に対応する光束を、眼鏡レンズを通して伝播させ、眼鏡レンズ中央付近にあるハーフミラーやＨＯＥ等の反射部材で目の方に映像を反射させて表示する。
【特許文献１】特開２００４−１２７６８号公報
【発明の開示】
【発明が解決しようとする課題】
【０００３】
通常の眼鏡の場合、眼鏡のテンプルを折り畳むことによって持ち運びを簡単にできるが、このようなアイグラスディスプレイの場合、テンプル部に映像形成投影装置が取り付けられるため、テンプルを内側に折り畳もうとしても、眼鏡レンズと映像形成投影装置が機械的に干渉して折り畳むことができず持ち運びに不便であった。
【０００４】
本発明はこのような事情に鑑みてなされたものであり、不使用時に容易に折り畳むことができ、持ち運びに便利なアイグラスディスプレイを提供することを課題とする。
【課題を解決するための手段】
【０００５】
前記課題を達成するための第１の手段は、眼鏡タイプのアイグラスディスプレイであって、眼鏡レンズがテンプルを含む支持体によって保持され、一つのテンプルには、映像形成投影装置が保持されており、前記映像形成投影装置から射出される光束を、前記眼鏡レンズのうちの一つ（映像投影レンズ）に入射させて第１の反射体により反射させ、当該眼鏡レンズの中を通して第２の反射体により反射させて眼に導くものにおいて、前記映像形成投影装置は、前記支持体に設けられた回動軸の周りに、前記眼鏡レンズの後方に近づくように回動可能とされており、かつ、使用時において前記映像形成装置の前記眼鏡レンズに対面する側の形状が、前記回動時に前記眼鏡レンズと機械的に干渉しない形状とされていることを特徴とするアイグラスディスプレイである。
【０００６】
前記課題を解決するための第２の手段は、前記第１の手段であって、前記映像形成投影装置を前記回動軸の周りに回動させ、眼鏡レンズの後方に近づくように折り畳んだとき、前記映像形成投影装置の光束射出面を保護する保護部材を有することを特徴とするものである。
【発明の効果】
【０００７】
本発明によれば、不使用時に容易に折り畳むことができ、持ち運びに便利なアイグラスディスプレイを提供することができる。
【発明を実施するための最良の形態】
【０００８】
以下、本発明の実施の形態の例を、図を用いて説明する。図１は、本発明の実施の形態の１例であるアイグラスディスプレイの概要を示す図である。図１（ａ）において、アイグラスディスプレイ１は、２つの眼鏡レンズ２、３を有し、これらはフレーム４に嵌め込まれている。そのうちの一つの眼鏡レンズ３中には、第１の反射体であるミラー５と第２の反射体であるハーフミラー６が設けられており、映像投影レンズとされている。ハーフミラー６は、単なる平面ミラーでなく、凹面鏡のようにパワーを持ってもよい。又、ＨＯＥ（ホログラフィック・オプティカル・エレメント）でもよい。フレーム４の映像投影レンズ３側には、映像形成投影装置７が取り付けられている。映像形成投影装置７中には、ＬＣＤ等の映像形成装置７ａと投影レンズ７ｂが設けられている。映像形成投影装置７には、テンプル９が取り付けられている。眼鏡レンズ２側のフレーム４には、テンプル１０が取り付けられている。
【０００９】
図１（ａ）に示す使用状態においては、映像形成装置７ａで形成された画像は、投影レンズ７ｂにより投影されて映像投影レンズ３中に入り、ミラー５で反射されて映像投影レンズ３中を透過し、ハーフミラー６で反射されて眼Ｅに投影される。
【００１０】
図１（ｂ）は図１（ａ）のＡ−Ａ断面図、図１（ｃ）は図１（ａ）のＢ−Ｂ断面図である。映像形成投影装置７は、映像投影レンズ３の上部を覆うフレーム４ａと、映像投影レンズ３の下部を覆うフレーム４ｂとの間に挟まれるように設けられており、回動ピン８を有している。回動ピン８は、フレーム４ａとフレーム４ｂに設けられた穴に、回動可能に嵌り込んでいる。
【００１１】
図２は、映像形成投影装置７とテンプル９とを回動させ、眼鏡レンズ２と映像投影レンズ３の裏側（装着者側）に来るように折り畳む状況を示す図である。以下の図において、前出の図に示された構成要素には、同じ符号を付してその説明を省略する。使用状態である（ａ）から、映像形成投影装置７とテンプル９を回動ピン８の周りに反時計回りに回動させて、（ｂ）に示すように、映像形成投影装置７とテンプル９がそれぞれ７’、９’の位置に来るような状態を経て、（ｃ）に示す７”、９”の位置まで移動させる。この回動時において、フレーム４ａとフレーム４ｂに囲まれた映像投影レンズ３と映像形成投影装置７とがぶつからないように、映像形成投影装置７の映像投影レンズ３に面する側の形状が円弧状に切り欠かれている。このように、回動ピン８を映像投影レンズ３の位置から後方に離れた位置におき、映像形成投影装置７の映像投影レンズ３に面する側の形状を、映像形成投影装置７の回動に際して映像形成投影装置７が映像投影レンズ３にぶつからない形状とすることにより、映像形成投影装置７と映像投影レンズ３とが干渉することなく、映像形成投影装置７とテンプル９を、通常の眼鏡と同じように、眼鏡レンズ２、映像投影レンズ３の後方に折り畳むことができる。
【００１２】
使用時においては、映像形成投影装置７の光束射出面は、映像投影レンズ３に面しているので、この部分に埃等がくっついたり、この面に傷が付いたりする不具合は少ないが、映像形成投影装置７が７”の位置にあるときは、映像形成投影装置７の光束射出面がむき出しになるので、このような不具合が発生する恐れがある。よって、このような場合には、映像形成投影装置７の光束射出面を覆うシャッタを設けることが好ましい。
【００１３】
この例の概念図を図３に示す。映像形成投影装置７には、板バネ１０が取り付けられており、板部１０ａと板部１０ｂとは、最小角度９０°となるように板バネ１０が設定されている。板部１０ｂには、シャッタ１１が取り付けられている。
【００１４】
（ａ）は、映像形成投影装置７とテンプル９が折り畳み状態である７”、９”の位置にあるときの状態で、このとき、板部１０ａと板バネ１０ｂの角度は９０°とされており、シャッタ１１が映像形成投影装置７の光束射出面を覆う状態となっている。この位置から映像形成投影装置７を回動させ（ｂ）に示すような位置とすると、シャッタ１１が映像投影レンズ３（実際にはフレーム４）に当たってバネの付勢力に抗して、板部１０ａと板部１０ｂの角度が押し広げられる。映像形成投影装置７をさらに回動させて、使用状態とすると、シャッタ１１は映像投影レンズ３の側面に位置するようになり、映像形成投影装置７の光束射出面と映像投影レンズ３の間を遮るものが無くなる。
【図面の簡単な説明】
【００１５】
【図１】本発明の実施の形態の１例であるアイグラスディスプレイの概要を示す図である。
【図２】映像形成投影装置とテンプルを折り畳むときの状態を示す図である。
【図３】映像形成投影装置の光束射出面を覆うシャッタの概念図である。
【符号の説明】
【００１６】
１…アイグラスディスプレイ、２…眼鏡レンズ、３…映像投影レンズ、４…フレーム、４ａ…フレーム、４ｂ…フレーム、５…ミラー、６…ハーフミラー、７…映像形成投影装置、８…回動ピン、９…テンプル、１０…板バネ、１０ａ…板部、１０ｂ…板部、１１…シャッタ
【図１】
2008022362.tif 000003
【図２】
2008022362.tif 000004
【図３】
2008022362.tif 000005